(57)【要約】【課題】本発明は、吸収性物品が揮発性成分を含む場合に、使用者に、開封前に揮発性成分の存在を知覚させつつ、使用時に開封した際にも、揮発性成分の存在を知覚させることが可能な吸収性物品の個包装体を提供することを目的とする。【解決手段】本発明は、展開状態において、幅方向ＤＷに沿って延びる折り線を備えるとともに、吸収性物品１が、少なくとも折り線よりも長手方向ＤＬの一方向側の端部に、揮発性成分含有領域２０を備え、個包装状態において、吸収性物品１が、少なくとも折り線により肌対向面側を内側にして折り畳まれており、幅方向ＤＷにおける、気密性包装部材の両端部が閉塞されており、気密性包装部材の、上記一方向側の端部が、対向する気密性包装部材の対向面に固定されており、気密性包装部材の上記端部が気体連通部１３を備える、吸収性物品の個包装体１０を提供する。【選択図】図２
2020141872.tif 000002
【特許請求の範囲】
【請求項１】
一方向及び他方向を含む長手方向と、幅方向と、を有する吸収性物品、並びに前記吸収性物品の非肌対向面側に固着された気密性包装部材、を備える、吸収性物品の個包装体であって、
前記個包装体の展開状態において、
前記吸収性物品の個包装体が、前記幅方向に沿って延びる折り線を備えるとともに、
前記吸収性物品が、少なくとも前記折り線よりも前記一方向側の端部に、揮発性成分を含有する揮発性成分含有領域を備え、
個包装状態において、
前記吸収性物品が、少なくとも前記折り線により肌対向面側を内側にして折り畳まれており、
前記幅方向における、気密性包装部材の両端部が閉塞されており、
前記気密性包装部材の、前記一方向側の端部が、対向する前記気密性包装部材の対向面に固定されており、
前記気密性包装部材の前記端部が、前記個包装体の内部及び外部を連通する気体連通部を備える、吸収性物品の個包装体。
【請求項２】
前記個包装状態において、
前記個包装体が、前記長手方向及び前記幅方向により規定される一方面と、前記一方面の反対面を構成する他方面と、を有し、
前記気体連通部が前記一方面側に配置され、
前記揮発性成分含有領域が、少なくとも、前記吸収性物品の個包装体の、厚さ方向中心線よりも前記一方面側に配置される、請求項１に記載の吸収性物品の個包装体。
【請求項３】
前記展開状態において、
前記揮発性成分含有領域に加えて、前記折り線の前記他方向側に追加の揮発性成分含有領域を有する、請求項１又は２に記載の吸収性物品の個包装体。
【請求項４】
前記吸収性物品が、前記揮発性成分以外の追加の機能剤を含有し、前記揮発性成分が、前記追加の機能剤の機能と対応した感覚を惹起する、請求項１から３のいずれか１項に記載の吸収性物品の個包装体。
【請求項５】
前記揮発性成分が香料である、請求項４に記載の吸収性物品の個包装体。
【請求項６】
前記追加の機能剤が冷感剤であり、前記香料が冷感と対応した匂いをもたらす、請求項５に記載の吸収性物品の個包装体。
【請求項７】
前記追加の機能剤が温感剤であり、前記香料が温感と対応した匂いをもたらす、請求項５に記載の吸収性物品の個包装体。
【請求項８】
前記展開状態において、
前記揮発性成分含有領域と、前記追加の機能剤を含有する領域とが、平面方向において異なる、請求項４から７のいずれか１項に記載の吸収性物品の個包装体。
【請求項９】
前記展開状態において、
前記揮発性成分を含有する位置と、前記追加の機能剤を含有する位置とが、厚さ方向において異なる、請求項４から８のいずれか１項に記載の吸収性物品の個包装体。
【請求項１０】
前記展開状態において、
前記幅方向に沿って延びる前記折り線の本数が少なくとも２本であるとともに、前記長手方向に沿って延びる２本の追加の折り線を備え、
前記個包装状態において、
前記吸収性物品が、追加の折り線により折り畳まれた状態で、前記折り線により折り畳まれている、請求項１から９のいずれか１項に記載の吸収性物品の個包装体。
【請求項１１】
前記個包装状態において、
前記長手方向における寸法が、前記幅方向における寸法に比べて長い、請求項１０に記載の吸収性物品の個包装体。
【請求項１２】
前記展開状態において、
前記吸収性物品の、前記一方向側の坪量が、前記他方向側の坪量よりも小さい、請求項１０又は１１に記載の吸収性物品の個包装体。
【請求項１３】
前記展開状態において、
前記吸収性物品が、前記一方向側の端部に、幅広部を有し、
前記揮発性成分含有領域が、前記幅広部に配置され、
前記幅広部の前記幅方向における端部が、前記追加の折り線を越えて延在する、請求項１０から１２のいずれか１項に記載の吸収性物品の個包装体。
【請求項１４】
請求項１から１３のいずれか１項に記載の吸収性物品の個包装体を複数収容し、通気部を有する、包装体。
【発明の詳細な説明】
【技術分野】
【０００１】
本発明は、吸収性物品の個包装体、及びこれを収容した包装体に関する。
【背景技術】
【０００２】
吸収性物品と、気密性包装部材と、を備えた、吸収性物品の個包装体が知られている。
例えば、特許文献１には、揮発性成分を含有する吸収性物品と、吸収性物品の非肌対向面側に固着された気密性包装部材と、を備え、吸収性物品が、幅方向に延びる２以上の折り線により折り畳まれた吸収性物品の個包装体であって、この吸収性物品の個包装体が、吸収性物品の幅方向両端部において融着シール領域、及び折り畳み構造の開口部に設けられた封止固定領域を備え、吸収性物品と、気密性包装部材との間に長手方向又は幅方向に沿って延びる非固着部が備えられるとともに、融着シール領域又は封止固定領域が、気体連通部を備える、吸収性物品の個包装体が開示されている。
【先行技術文献】
【特許文献】
【０００３】
【特許文献１】特許第６４４２６４６号公報
【発明の概要】
【発明が解決しようとする課題】
【０００４】
特許文献１に記載の吸収性物品の個包装体は、気密性包装部材を備える個包装体として提供される吸収性物品が揮発性成分を含む際に、揮発性成分の揮発により、気密性包装部材が膨張し、破裂することを防止するため、融着シール領域又は封止固定領域から揮発した揮発性成分を放出することを目的とするものである。一方、揮発性成分の中には、気体の状態で皮膚感覚又は嗅覚を通じて知覚されうる成分もあるが、特許文献１に記載の発明は、このような揮発性成分が、使用前及び使用時において、吸収性物品の個包装体の周囲に放出されること目的としたものではない。
よって、吸収性物品が、揮発性成分を含む場合に、吸収性物品の個包装体の開封前に、使用者に揮発性成分の存在を知覚させつつ、吸収性物品の使用時に開封した際にも、揮発性成分の存在を知覚させることが可能な、吸収性物品の個包装体を提供することを目的とする。
【課題を解決するための手段】
【０００５】
本発明の発明者らは、上記課題にかんがみ、鋭意研究を行った。そして、上記課題を解決するため、一方向及び他方向を含む長手方向と、幅方向と、を有する吸収性物品、並びに上記吸収性物品の非肌対向面側に固着された気密性包装部材、を備える、吸収性物品の個包装体であって、上記個包装体の展開状態において、上記吸収性物品の個包装体が、上記幅方向に沿って延びる折り線を備えるとともに、上記吸収性物品が、少なくとも上記折り線よりも上記一方向側の端部に、揮発性成分を含有する揮発性成分含有領域を備え、個包装状態において、上記吸収性物品が、少なくとも上記折り線により肌対向面側を内側にして折り畳まれており、上記幅方向における、気密性包装部材の両端部が閉塞されており、上記気密性包装部材の、上記一方向側の端部が、対向する上記気密性包装部材の対向面に固定されており、上記気密性包装部材の上記端部が、上記個包装体の内部及び外部を連通する気体連通部を備える、吸収性物品の個包装体を提供する。
【発明の効果】
【０００６】
本発明の吸収性物品の個包装体は、開封前に、使用者が揮発性成分の存在を知覚可能であり、使用時に開封した際にも、揮発性成分の存在を知覚できる。
【図面の簡単な説明】
【０００７】
【図１】本発明の一実施形態に係る、生理用ナプキン１を折り畳んでなる個包装体１０の斜視図であり、（ａ）は、個包装体１０を第１表面Ｓ１側から見た斜視図であり、（ｂ）は、個包装体１０を第２表面Ｓ２側から見た斜視図である。
【図２】生理用ナプキン１を、展開した状態で表面シート２側から厚さ方向ＤＴに見た平面図である。
【図３】生理用ナプキン１を、展開した状態で裏面シート３側から厚さ方向ＤＴに見た平面図である。
【図４】生理用ナプキン１の、長手方向ＤＬに延びる中央軸線ＣＬに沿った断面の端面図である。
【図５】個包装体１０を形成するための、生理用ナプキン１の折り畳み方法を説明するための斜視図である。
【発明を実施するための形態】
【０００８】
本発明は、以下の態様に関する。
【０００９】
［態様１］
（構成）
一方向及び他方向を含む長手方向と、幅方向と、を有する吸収性物品、並びに上記吸収性物品の非肌対向面側に固着された気密性包装部材、を備える、吸収性物品の個包装体であって、
上記個包装体の展開状態において、
上記吸収性物品の個包装体が、上記幅方向に沿って延びる折り線を備えるとともに、
上記吸収性物品が、少なくとも上記折り線よりも上記一方向側の端部に、揮発性成分を含有する揮発性成分含有領域を備え、
個包装状態において、
上記吸収性物品が、少なくとも上記折り線により肌対向面側を内側にして折り畳まれており、
上記幅方向における、気密性包装部材の両端部が閉塞されており、
上記気密性包装部材の、上記一方向側の端部が、対向する上記気密性包装部材の対向面に固定されており、
上記気密性包装部材の上記端部が、上記個包装体の内部及び外部を連通する気体連通部を備える、吸収性物品の個包装体。
【００１０】
（効果）
本発明の第１の態様によれば、吸収性物品の個包装体が、展開状態において、幅方向に沿って延びる折り線を備えるとともに、吸収性物品が、この折り線よりも長手方向の一方向側の端部に、揮発性成分を含有する揮発性成分含有領域を備え、個包装状態において、気密性包装部材の、上記一方向側の端部が、対向する上記気密性包装部材の対向面に固定されているので、気体連通部を介して、揮発性成分が吸収性物品の個包装体の周囲に放出され、使用者が、吸収性物品の個包装体の開封前に、揮発性成分の存在を知覚できる。
また、吸収性物品の個包装体が、気密性包装部材を備え、幅方向における、気密性包装部材の両端部が閉塞されているので、吸収性物品に含まれる揮発性成分が、吸収性物品の個包装体の外部に多量に放出され難い。したがって、吸収性物品に含まれる揮発性成分の存在を、使用時に個包装体を開封した際にも知覚できる。
【００１１】
［態様２］
（構成）
上記個包装状態において、
上記個包装体が、上記長手方向及び上記幅方向により規定される一方面と、上記一方面の反対面を構成する他方面と、を有し、
上記気体連通部が上記一方面側に配置され、
上記揮発性成分含有領域が、少なくとも、上記吸収性物品の個包装体の、厚さ方向中心線よりも上記一方面側に配置される、上記第１の態様に記載の吸収性物品の個包装体。
【００１２】
（効果）
本発明の第２の態様によれば、吸収性物品が、個包装状態において、上記気体連通部と、上記揮発性成分含有領域が、厚さ方向の同じ側に配置されるので、気体連通部を介して揮発性成分が、吸収性物品の個包装体の周囲に放出されやすく、使用者が、吸収性物品の個包装体の開封前に、揮発性成分の存在を知覚しやすい。
【００１３】
［態様３］
（構成）
上記展開状態において、
上記揮発性成分含有領域に加えて、上記折り線の上記他方向側に追加の揮発性成分含有領域を有する、上記第１又は第２の態様に記載の吸収性物品の個包装体。
【００１４】
（効果）
本発明の第３の態様によれば、揮発性成分含有領域に加えて、個包装体の展開状態において、折り線の他方向側に追加の揮発性成分含有領域を有するので、吸収性物品に含まれる揮発性成分の持続性がより高まる。
【００１５】
［態様４］
（構成）
上記吸収性物品が、上記揮発性成分以外の追加の機能剤を含有し、上記揮発性成分が、上記追加の機能剤の機能と対応した感覚を惹起する、上記第１から第３の態様のいずれか１の態様に記載の吸収性物品の個包装体。
【００１６】
（効果）
本発明の第４の態様によれば、吸収性物品が、揮発性成分以外に、追加の機能剤を含有し、揮発性成分が、この追加の機能剤の機能と対応した感覚を惹起するので、使用者が、吸収性物品の個包装体の開封前に、揮発性成分の存在を知覚することによって、追加の機能剤の機能を推定することができる。
【００１７】
［態様５］
（構成）
上記揮発性成分が香料である、上記第４の態様に記載の吸収性物品の個包装体。
【００１８】
（効果）
本発明の第５の態様によれば、揮発性成分が香料であるので、嗅覚を介して、揮発性成分の存在を知覚することができる。
【００１９】
［態様６］
（構成）
上記追加の機能剤が冷感剤であり、上記香料が冷感と対応した匂いをもたらす、上記第５の態様に記載の吸収性物品の個包装体。
【００２０】
（効果）
本発明の第６の態様によれば、追加の機能剤が冷感剤であることにより、追加の機能剤の機能と対応した感覚を惹起する揮発性成分として、冷感と対応した匂いをもたらす香料を選択できる。
【００２１】
［態様７］
（構成）
上記追加の機能剤が温感剤であり、上記香料が温感と対応した匂いをもたらす、上記第５の態様に記載の吸収性物品の個包装体。
【００２２】
（効果）
本発明の第７の態様によれば、追加の機能剤が温感剤であることにより、追加の機能剤の機能と対応した感覚を惹起する揮発性成分として、温感と対応した匂いをもたらす香料を選択できる。
【００２３】
［態様８］
（構成）
上記展開状態において、
上記揮発性成分含有領域と、上記追加の機能剤を含有する領域とが、平面方向において異なる、上記第４から第７の態様のいずれか１の態様に記載の吸収性物品の個包装体。
【００２４】
（効果）
本発明の第８の態様によれば、展開状態において、揮発性成分含有領域と、追加の機能剤を含有する領域とが、平面方向において異なるので、揮発性成分と、追加の機能剤とが、相互に干渉し難い。
【００２５】
［態様９］
（構成）
上記展開状態において、
上記揮発性成分を含有する位置と、上記追加の機能剤を含有する位置とが、厚さ方向において異なる、上記第４から第８の態様のいずれか１の態様に記載の吸収性物品の個包装体。
【００２６】
（効果）
本発明の第９の態様によれば、展開状態において、揮発性成分を含有する位置と、追加の機能剤を含有する位置とが、厚さ方向において異なるので、揮発性成分と、追加の機能剤とが、相互に干渉し難い。
【００２７】
［態様１０］
（構成）
上記展開状態において、
上記幅方向に沿って延びる上記折り線の本数が少なくとも２本であるとともに、上記長手方向に沿って延びる２本の追加の折り線を備え、
上記個包装状態において、
上記吸収性物品が、追加の折り線により折り畳まれた状態で、上記折り線により折り畳まれている、上記第１から第９の態様のいずれか１の態様に記載の吸収性物品の個包装体。
【００２８】
（効果）
本発明の第１０の態様によれば、吸収性物品の個包装体が、展開状態において、幅方向に沿って延びる上記折り線の本数が少なくとも２本であるとともに、長手方向に沿って延びる２本の追加の折り線を備え、個包装体状態において、吸収性物品が、少なくとも２本の折り線と、２本の追加の折り線により折り畳まれているので、吸収性物品の個包装体を片手の掌で保持する際に、吸収性物品の個包装体が圧迫されやすく、吸収性物品の個包装体の内部の空気が、気体連通部を介して周囲に放出されるので、吸収性物品の個包装体の開封直前に、吸収性物品に含まれる揮発性成分の存在を、使用者が知覚しやすい。
【００２９】
［態様１１］
（構成）
上記個包装状態において、
上記長手方向における寸法が、上記幅方向における寸法に比べて長い、上記第１０の態様に記載の吸収性物品の個包装体。
【００３０】
（効果）
本発明の第１１の態様によれば、個包装体状態において、長手方向における寸法が、幅方向における寸法に比べて長いことにより、吸収性物品の個包装体を片手の掌で保持する際に、吸収性物品の個包装体が短手方向に圧迫されても、幅方向に沿って延びる気体連通部が閉塞され難く、使用者が、吸収性物品の個包装体の開封前に、揮発性成分の存在を知覚しやすい。
【００３１】
［態様１２］
（構成）
上記展開状態において、
上記吸収性物品の、上記一方向側の坪量が、上記他方向側の坪量よりも小さい、上記第１０又は第１１の態様に記載の吸収性物品の個包装体。
【００３２】
（効果）
本発明の第１２の態様によれば、吸収性物品の、長手方向の一方向側の坪量が、他方向側の坪量よりも小さいことにより、吸収性物品の個包装体の状態で、揮発性成分含有領域が配置される、長手方向の一方向側が圧迫されやすくなり、吸収性物品に含まれる揮発性成分の存在を、使用者が、吸収性物品の個包装体の開封前に、揮発性成分の存在を知覚しやすい。
【００３３】
［態様１３］
（構成）
上記展開状態において、
上記吸収性物品が、上記一方向側の端部に、幅広部を有し、
前記揮発性成分含有領域が、前記幅広部に配置され、
上記幅広部の上記幅方向における端部が、上記追加の折り線を越えて延在する、上記第１０から第１２の態様のいずれか１の態様に記載の吸収性物品の個包装体。
【００３４】
（効果）
本発明の第１３の態様によれば、吸収性物品が一方向側の端部に、幅広部を有し、揮発性成分含有領域がこの幅広部に配置されるとともに、幅広部の幅方向における端部が、上記追加の折り線を越えて延在しているので、吸収性物品の個包装体を、個包装状態とするとき、追加の折り線で折り畳む際に、揮発性成分含有量域が配置された、幅広部の肌対向面側同士が対向することとなり、気密性包装部材に揮発性成分が付着し難い。
【００３５】
［態様１４］
（構成）
上記第１から第１３の態様のいずれか１の態様に記載の吸収性物品の個包装体を複数収容し、通気部を有する、包装体。
【００３６】
（効果）
本発明の第１４の態様によれば、吸収性物品の個包装体を複数収容した包装体が、通気部を有することにより、包装体が店頭に陳列された状態においても、使用者となりうる消費者が、吸収性物品に含まれる揮発性成分の存在を知覚しやすい。
【００３７】
以下、本発明の吸収性物品の個包装体の好適な実施形態について、図面を参照しながら詳細に説明する。なお、本明細書においては、特に断りのない限り、「水平面上に置いた対象物（例えば、個包装体、吸収性物品等）を、垂直方向の上方側から対象物の厚さ方向に見ること」を、単に「平面視」という。
【００３８】
［各種定義］
本明細書において用いられる各種方向等については、特に断りのない限り、以下のとおりである。
本明細書において、「長手方向」は、「平面視における展開状態の吸収性物品の長さの長い方向」を指し、「幅方向」は、「平面視における展開状態の吸収性物品の長さの短い方向」を指し、「厚さ方向」は、「水平面上に置いた展開状態の吸収性物品に対して垂直方向」を指し、これらの方向は互いに直交する関係にある。
本明細書において、長手方向又は幅方向の「端部」とは、「平面視における対象物（例えば、個包装体、展開した状態の吸収性物品、吸収性物品の各種構成部材等）の、長手方向又は幅方向における、末端各３３％に収まる部分」をいう。
なお、本明細書において、吸収性物品の個包装体等、展開状態の吸収性物品以外の対象物について、「長手方向」、「幅方向」、及び「厚さ方向」に言及するとき、これらは、上記展開状態の吸収性物品についての長手方向、幅方向、及び厚さ方向と、それぞれ平行であるものとする。
さらに、本明細書では、「縦長の対象物の幅方向の中央に位置し且つ長手方向に延びる軸線」を、当該対象物の「長手方向の中央軸線」といい、「縦長の対象物の長手方向の中央に位置し且つ幅方向に延びる軸線」を、当該対象物の「幅方向の中央軸線」という。
また、本明細書では、「吸収性物品の長手方向において、着用者が吸収性物品を着用した際に着用者の腹部に対して相対的に近位側となる長手方向の一方向」を、「吸収性物品の前方向」といい、「吸収性物品の長手方向において、着用者の背部に対して相対的に近位側となる他方向」を、「吸収性物品の後方向」という。
なお、本明細書において、吸収性物品の個包装体等、展開状態の吸収性物品以外の対象物について、「前方向」及び「後方向」に言及するとき、これらは、上記展開状態の吸収性物品についての前方向及び後方向と、向きが一致するとともに、それぞれ平行であるものとする。
そして、本明細書では、特に断りのない限り、展開状態の吸収性物品の厚さ方向において、「吸収性物品の着用時に、着用者の肌面に対して相対的に近位側に位置する表面」を「肌対向面」といい、「吸収性物品の着用時に、着用者の肌面に対して相対的に遠位側に位置する表面」を「非肌対向面」という。
なお、本明細書において、「使用者」は、吸収性物品を実際に着用する者（すなわち、着用者）のほか、吸収性物品を他者に装着する者（例えば、介護者等）を含む。
【００３９】
［個包装体］
図１は、本発明の吸収性物品の一例である、本実施形態に係る生理用ナプキン１を折り畳んでなる個包装体１０の斜視図であり、（ａ）は、個包装体１０を長手方向ＤＬ及び幅方向ＤＷにより規定される一方面としての第１表面Ｓ１側から見た斜視図であり、（ｂ）は、個包装体１０を一方面の反対面を構成する他方面としての第２表面Ｓ２側から見た斜視図である。また、図２は、生理用ナプキン１を、展開した状態で表面シート２側から厚さ方向ＤＴに見た平面図である。
図１及び図２に示すように、本実施形態に係る個包装体１０は、生理用ナプキン１の非肌対向面ＳＢに固着された気密性包装部材を備える。そして、生理用ナプキン１及び気密性包装部材は、幅方向ＤＷに沿って延びる幅方向第１折り線ＬＬ１及び幅方向第２折り線ＬＬ２、並びに長手方向ＤＬに沿って延びる長手方向第１折り線ＬＷ１及び長手方向第２折り線ＬＷ２を備え、これらの折り線により、生理用ナプキン１の肌対向面ＳＦが内側となるように長手方向ＤＬ及び幅方向ＤＷの各々において三つ折りに折り畳むことによって形成されている。より具体的には、後述するように、生理用ナプキン１は、長手方向第１折り線ＬＷ１及び長手方向第２折り線ＬＷ２により折り畳まれた状態で、幅方向第１折り線ＬＬ１及び幅方向第２折り線ＬＬ２により折り畳まれている。そして、図１に示すように、個包装体１０は、幅方向ＤＷにおける気密性包装部材の両端部が閉塞された、平坦な略直方体の外形形状を有しているとともに、気密性包装部材の、前方向ＤＦ側の端部が、当該端部とその他の部分とに跨って配置されたリードテープ１２によって、対向する気密性包装部材の対向面に固定されており、折り畳まれた生理用ナプキン１の個包装状態が維持されている。そして、気密性包装部材の端部が、個包装体１０の内部及び外部を連通する気体連通部１３を備え、この気体連通部１３は、第１表面Ｓ１側に配置されている。
【００４０】
このような構成を採用することにより、気体連通部１３を介して、生理用ナプキン１に含まれる、後述する香料が個包装体１０の周囲に放出されるので、使用者が、個包装体１０の開封前に、香料の存在を知覚できる。また、個包装体１０が、気密性包装部材を備え、幅方向における、気密性包装部材の両端部が閉塞されているので、吸収性物品に含まれる揮発性成分が、個包装体１０の外部に多量に放出され難い。したがって、生理用ナプキン１に含まれる揮発性成分の存在を、使用時に個包装体１０を開封した際にも知覚できる。なお、本発明においては、気密性包装部材における、折り線よりも一方向側の端部を構成する、向かい合って接触する気密性フィルム同士を、接着剤を用いたり、融着したりすることにより、相互に接合して、接合領域を設けてもよい。本発明における気体連通部は、対向する気密性フィルム同士において、少なくとも部分的に、個包装体の内部及び外部を連通する部位が形成されていればよく、例えば、個包装体の外側から肉眼で気体連通部を視認できなかったとしても、個包装状態において、揮発性成分の存在を知覚できる程度に、個包装体の内部及び外部を連通する部位が形成されていればよい。
【００４１】
また、本実施形態において、個包装体１０の長手方向ＤＬにおける寸法は、幅方向ＤＷにおける寸法に比べて長くなっている。これにより、個包装体１０を片手の掌で保持する際に、個包装体１０が幅方向ＤＷに圧迫されても、上述の、幅方向ＤＷに沿って延びる気体連通部１３が閉塞され難く、使用者が、個包装体１０の開封前に、揮発性成分の存在を知覚しやすい。
【００４２】
また、個包装体１０は、長手方向ＤＬ及び幅方向ＤＷが、それぞれ展開した状態の生理用ナプキン１の長手方向ＤＬ及び幅方向ＤＷに対応するように折り畳まれているが、本発明においては、このような折り畳み形態に限定されない。
【００４３】
なお、本発明の別の態様においては、生理用ナプキンは、長手方向ＤＬに沿って延びる長手方向第１折り線ＬＷ１及び長手方向第２折り線ＬＷ２を有していなくてもよく、生理用ナプキンの折り畳み方式も、長手方向ＤＬに三つ折りに折り畳まれ、幅方向ＤＷに折り畳まれていなくてもよい。この場合、幅方向ＤＷにおける気密性包装部材の両端部を閉塞するため、当該両端部を、ヒートシールや、接着剤によって、密閉していてもよい。また、幅方向ＤＷに延びる折り線の本数は、２本でなくてもよく、例えば、１本であってもよいし、３本以上であってもよい。さらに、本発明の吸収性物品においては、幅方向ＤＷに沿って延びる折り線の本数は、２本を超えてもよく、例えば、３本、又は４本以上であってもよい。この場合、本発明の吸収性物品は、長手方向ＤＬに四つ折り以上に折り畳まれる。
【００４４】
以下、本発明の個包装体に用い得る吸収性物品について、上述の生理用ナプキン１を用いて更に詳細に説明する。
【００４５】
［吸収性物品］
図３は、生理用ナプキン１を、展開した状態で裏面シート３側から厚さ方向ＤＴに見た平面図である。図２及び図３に示すように、生理用ナプキン１は、平面視にて、長手方向ＤＬ及び幅方向ＤＷを有する縦長の外形形状を有しており、さらに、幅方向ＤＷの中央軸線ＣＷよりも前方向ＤＦの端部に、生理用ナプキン１の幅方向ＤＷの両端部が、外方に向かって突出することにより、幅方向ＤＷの寸法が周囲と比較して幅広となった、幅広部２０が設けられている。また、生理用ナプキン１の後方向ＤＢの所定位置においては、生理用ナプキン１の幅方向ＤＷの一方側端部及び他方側端部の各々が幅方向ＤＷの外方側に向かって略台形状に突出した、一対のフラップ部６、６を有している。
【００４６】
なお、本発明において、吸収性物品の外形形状は、幅方向ＤＷの中央軸線ＣＷよりも前方向ＤＦの端部に、幅広部２０が設けられている形状や、一対のフラップ部６、６を有している形状に限定されるものではなく、幅方向ＤＷの中央軸線ＣＷよりも後方向ＤＢの端部に、幅広部が設けられている形状や、一対のフラップ部６、６を有していない形状であってもよい。また、吸収性物品の全体形状も各種用途等に応じた任意の縦長の形状（例えば、長方形、楕円形、砂時計形等）を採用することもできる。
【００４７】
図４は、生理用ナプキン１の、長手方向ＤＬに延びる中央軸線ＣＬに沿った断面の端面図である。上述の生理用ナプキン１は、図４に示すように、厚さ方向ＤＴにおいて、生理用ナプキン１の肌対向面ＳＦを形成する液透過性の表面シート２と；生理用ナプキン１の非肌対向面ＳＢを形成する液不透過性の裏面シート３と；これら両シートの間に位置する吸水性の吸収体４と；生理用ナプキン１の前方向ＤＦに位置する幅広部２０において表面シート２と裏面シート３の間に位置し且つ揮発性物質として香料を含む吸収層２１とを、主な構成部材として備えている。
【００４８】
また、生理用ナプキン１は、図２に示すように、幅方向ＤＷの両端部においてそれぞれ長手方向ＤＬに延在する一対のサイドシート５、５を備えている。さらに、図３に示すように、生理用ナプキン１は、裏面シート３の非肌対向面ＳＢにおいて、本発明の第２接着部としての固定用接着部を有している。より具体的には、吸収体４と厚さ方向ＤＴに重複し且つ長手方向ＤＬに延びる複数本の帯状の形態で配置された着衣固定用接着部７と；一対のフラップ部６、６の各々の非肌対向面ＳＢにおいて長手方向ＤＬに延びる複数本の帯状の形態で配置された一対のフラップ部固定用接着部７１、７１と；生理用ナプキン１の前方向ＤＦに位置する幅広部２０において幅方向ＤＷの両端部において、長手方向ＤＬに延びる複数の帯状の形態で配置された一対の前方向接着部７２、７２とを、構成部材として備えている。
【００４９】
さらに、上述の生理用ナプキン１は、図２に示すように、平面視にて、生理用ナプキン１の最も前方向ＤＦに位置する長手方向前方向端部を通るように幅方向ＤＷに延びる前方端仮想線ＬＥ１と、生理用ナプキン１の最も後方向ＤＢに位置する長手方向後方向端部を通るように幅方向ＤＷに延びる後方端仮想線ＬＥ２とを有し、さらに、これら前方端仮想線ＬＥ１及び後方端仮想線ＬＥ２の間には、長手方向ＤＬの前方向ＤＦにおいて香料を含む上記吸収層２１を備える幅広部２０と、当該幅広部２０の後方向ＤＢに隣接し、着用者から排出された経血等の液状排泄物を吸収する、吸収体４を含む吸収領域３０とを有している。
【００５０】
なお、図２及び図４に示すように、吸収層２１は、吸収体４の前方向ＤＦに隣接して配置されており、幅広部２０には、吸収領域３０の吸収体４がこれら領域の境界を超えて延在していないが、吸収領域３０には、幅広部２０の吸収層２１がこれら領域の境界を超えて延在しており、さらに、吸収領域３０における幅広部２０との隣接部分には、相対的に肌対向面側に位置する吸収体４と、相対的に非肌対向面側に位置する吸収層２１とが厚さ方向ＤＴに重なる重複部４０を有している。このような形態で吸収体４と吸収層２１が部分的に重なっていることにより、重複部４０は、着用者から排出された液状排泄物を吸収する作用を主な作用として備えている。ただし、本発明において、吸収体と吸収層は、互いに重なって重複部を形成していなくてもよい。
【００５１】
なお、吸収領域３０は、長手方向ＤＬにおいて吸収領域３０の略中央部に位置するとともに、上記一対のフラップ部６、６と幅方向ＤＷに重複し、生理用ナプキン１の着用時に着用者の排泄口に対向する排泄口対向領域と；当該排泄口対向領域の前方向ＤＦに隣接する前方向吸収領域と；当該排泄口対向領域の後方向ＤＢに隣接する後方向吸収領域との、３つの領域に区分することができる。
【００５２】
そして、上述の生理用ナプキン１は、図２に示すように、平面視にて、生理用ナプキン１を幅方向ＤＷに三つ折りするための、長手方向ＤＬに沿って延びる長手方向第１折り線ＬＷ１（仮想線）及び長手方向第２折り線ＬＷ２（仮想線）と；生理用ナプキン１を長手方向ＤＬに三つ折りするための、幅方向ＤＷに沿って延びる幅方向第１折り線ＬＬ１（仮想線）及び幅方向第２折り線ＬＬ２（仮想線）とを有している。生理用ナプキン１は、固着された個包装シート１１とともに、肌対向面ＳＦが内側となるように、長手方向第１折り線ＬＷ１及び長手方向第２折り線ＬＷ２によって三つ折りに折り畳まれた後、幅方向第１折り線ＬＬ１及び幅方向第２折り線ＬＬ２によって三つ折りに折り畳まれて、上述の個包装体１０を形成している。
【００５３】
このように構成される生理用ナプキン１は、着用する際に、生理用ナプキン１の非肌対向面ＳＢを、着衣固定用接着部７、及び一対の前方向接着部７２、７２を介して使用者の着衣（例えば、下着等）の内面に貼り付けた後、一対のフラップ部６、６をそれぞれ着衣の外面側に折り返しつつ一対のフラップ部固定用接着部７１、７１を介して着衣の外面に貼り付けることにより、着用者の着衣に固定される。
なお、本発明において、上記一対のフラップ部を有することは必須の構成要件でないため、吸収性物品の形態等によっては、必ずしもこのようなフラップ部を有していなくてもよい。
【００５４】
以下、本発明の個包装体に用い得る吸収性物品の各種構成部材について、上述の生理用ナプキン１を用いて更に詳細に説明する。
【００５５】
［吸収層］
上述の生理用ナプキン１において、吸収層２１は、図２に示すように、平面視にて、少なくとも生理用ナプキン１の前方向ＤＦに位置する、幅方向ＤＷの寸法が周囲に比較して大きくなっている幅広部２０において長手方向ＤＬ及び幅方向ＤＷの広範囲にわたって延在する所定の外形形状を有している。かかる吸収層２１は、図４に示すように、生理用ナプキン１の厚さ方向ＤＴにおいて、後述の表面シート２及び裏面シート３の間に配置され、揮発性成分としての、後述する香料を含む、シート状部材によって形成されている。
【００５６】
吸収層２１を形成するシート状部材は、揮発性成分としての香料を保持し得る基材とによって構成されている。なお、本発明において、幅広部は、香料を含む吸収層が配置されたものに限定されず、香料を含まない吸収層が、表面シート及び裏面シートの間に配置されたものであってもよく、その場合、揮発性成分としての香料は、表面シート等、吸収性物品を構成する他の部材に含有させればよい。
【００５７】
本実施形態において、上記香料を保持し得る基材としては、一般に、製造過程においては液体状である香料を保持し得るものであれば特に制限されず、例えば、布帛（例えば、不織布、織布、編布等）や多孔質樹脂シート（例えば、スポンジシート等）等が挙げられる。かかる基材は、吸収層用の基材として単独で用いられるものでなくてもよく、他の構成部材（例えば、表面シートや裏面シート、中間シート、コアラップシート等）と兼用されていてもよい。なお、吸収層２１の坪量は、後述する吸収体４の坪量と比較して小さく、これにより、展開状態において、生理用ナプキン１の前方向ＤＦ側の坪量が、後方向ＤＢ側の坪量よりも小さくなっている。これにより、個包装体１０を片手の掌で把持した際に、後述の香料含有領域が配置される、前方向ＤＦ側が幅方向ＤＷに向かって圧迫されやすくなり、生理用ナプキン１に含まれる香料が、個包装体１０の外部に放出されやすくなって、使用者が、個包装体１０の開封前に、香料の存在を知覚しやすい。
【００５８】
（揮発性成分含有領域）
生理用ナプキン１は、幅方向第１折り線ＬＬ１よりも前方向ＤＦ側の端部に、揮発性成分としての、香料を含有する香料含有領域２０を備えており、より具体的には、吸収層２１が香料を含有している。揮発性成分として、香料を用いることにより、個包装体１０を片手の掌で把持した際に、嗅覚を介して、香料の存在を知覚することができる。
ここで、個包装状態において、香料含有領域２０は、少なくとも、個包装体１０の厚さ方向ＤＴにおける中心線よりも第１表面Ｓ１側に配置され、上述のとおり、気体連通部１３もこの第１表面Ｓ１側に配置されている。このため、気体連通部１３を介して香料が、個包装体１０の周囲に放出されやすく、使用者が、個包装体１０の開封前に、香料の存在を知覚しやすい。なお、上述の香料含有領域２０は、幅方向第１折り線ＬＬ１の後方向端部側にも延びており、これが、追加の揮発性成分含有領域を形成している。生理用ナプキン１が、追加の揮発性成分含有量域を備えていることにより、生理用ナプキン１に含まれる香料の持続性がより高まる。ただし、本発明において、生理用ナプキン１は、追加の揮発性成分含有領域を備えていなくてもよく、香料含有領域２０と連続しない追加の香料含有領域が、追加の揮発性成分含有量域を構成していてもよい。また、本発明において使用する香料としては、吸収性物品の製造時に液体である香料が好ましいが、吸収性物品の製造時に液体である香料に限定されず、例えば、溶液状、固体状、又は半固体状の香料であってもよい。
【００５９】
本実施形態においては、生理用ナプキン１が、香料以外に、後述する追加の機能剤としての温感剤を含有し、香料が、温感剤の機能と対応した匂いをもたらす。これにより、使用者が、個包装体１０の開封前に、香料の存在を知覚することによって、追加の機能剤である温感剤の機能を推定することができる。温感剤の機能と対応した匂いをもたらす香料としては、皮膚や粘膜と接触することにより温感を生起する植物の匂いをもたらす香料を挙げることができ、例えば、ショウガ様の香気をもたらす、リナロール、ゲラニオール、ゲラニアール、ネラール、ボルネオール、イソボルネオール、１，８−シネオール、４ーテラピネオール、酢酸ゲラニル、２−ピネン−５−オール、（Ｅ）−２−オクテナール、（Ｅ）−２−デセナール、（Ｅ）−２−ドデセナール等を挙げることができる。また、温感剤の機能と対応した匂いをもたらす香料としては、温感を想起する植物の匂いをもたらす香料を挙げることができ、例えば、ユズ様の香気をもたらす、ｄ−リモネン、（６Ｓ）−メチルオクタナール、（８Ｓ）−メチルデカナール、トランス−４，５−エポキシ−２Ｅ−デセナール、（６Ｚ，８Ｅ）−ウンデカ−６，８，１０−トリエン−３−オン等；ヒノキ様の香気をもたらす、ヒノキオイル、ヒノキチオール、フィトンチッド、α-ピネン等を挙げることができる。その他の香料として、ハスの花様の香気をもたらす香料も挙げることができる。なお、後述するように、本発明において、追加の機能剤は、温感剤に限定されない。例えば、追加の機能剤が冷感剤である場合、冷感剤の機能と対応した匂いをもたらす香料としては、皮膚や粘膜と接触することにより冷感を生起する植物の匂いをもたらす香料を挙げることができ、例えば、ミント様の香気をもたらす、メントン、酢酸メンチル等を挙げることができる。また、追加の機能剤が抗菌剤である場合、抗菌剤の機能と対応した匂いをもたらす香料としては、抗菌機能が広く知られている植物の匂いをもたらす香料を挙げることができ、例えば、チャ（茶）の葉様の香気をもたらす、青葉アルコール、リナロール、ゲラニオール等を挙げることができる。
【００６０】
なお、本発明において、吸収層の外形形状や各種寸法、坪量等は、機能剤の種類や配置形態等に応じた任意の外形形状や各種寸法、坪量等を採用することができる。また、機能剤の性状は、特に限定されるものではなく、例えば、有効成分を含む溶液状のものであってもよいし、塗布可能な固体状の成分であってもよいし、液状の有効成分からなるものであってもよく、揮発性の成分であってもよい。
【００６１】
このような液透過性のシート状部材としては、吸収性物品の表面シートとして用い得る諸特性（例えば、液透過性や肌触り、柔軟性、強度等）を有するものであれば特に制限されず、例えば、エアスルー不織布、スパンレース不織布、スパンボンド不織布、ポイントボンド不織布等の各種不織布や多孔樹脂フィルム等を用いることができる。さらに、シート状部材の構造も特に制限されず、平坦な無孔のシート状構造のほか、例えば、複数の開口部を有する平坦なシート状構造や凹凸構造等の種々のシート状構造を採用することができる。
【００６２】
なお、表面シートとして不織布を用いる場合、その構成繊維の種類は、特に制限されず、例えば、セルロース系繊維や親水化処理を施した熱可塑性樹脂繊維（例えば、親水化処理を施したオレフィン系樹脂やポリエステル系樹脂等）等の親水性繊維が挙げられる。これらの繊維は単独で用いても、２種類以上の繊維を併用してもよい。
【００６３】
（機能剤）
生理用ナプキン１は、上述の香料以外に、機能剤を含んでおり、機能剤としては、例えば温感剤を挙げることができる。本実施形態において、機能剤は、表面シート２の非肌対向面ＳＢ側に塗布されている。機能剤として用いられる温感剤は、それ自体が発熱せずに着用者の皮膚の温熱知覚受容器を刺激して、着用者に温感を知覚させる温感成分と、当該温感成分を溶解させる溶媒成分とを含むものである。
なお、上述の生理用ナプキン１においては、温感剤は、平面視にて、幅広部２０の表面シート２の非肌対向面ＳＢ側の略全体に含まれているが、所定の温感機能を発揮し得るのであれば一部分（例えば、中央部のみ等）に含まれていてもよい。
【００６４】
なお、上述のとおり、香料は幅広部２０に配置される吸収層２１に含まれているため、機能剤が表面シート２に含まれていることにより、生理用ナプキン１の展開状態において、香料を含有する位置と、機能剤を含有する位置とが、厚さ方向ＤＴにおいて異なっている。このため、香料と、機能剤とが、相互に干渉し難く、香料と、機能剤とが、それぞれの機能を十分に発揮できる。ただし、本発明は、香料を含有する位置と、機能剤を含有する位置とが、厚さ方向ＤＴにおいて異なる態様に限定されるものではなく、展開状態において、揮発性成分含有領域と、追加の機能剤を含有する領域とが、平面方向において異なっていてもよく、厚さ方向ＤＴ及び平面方向の両者において異なっていてもよく、厚さ方向ＤＴ及び／又は平面方向に重複していてもよい。
【００６５】
上述の生理用ナプキン１では、温感剤が表面シート２の非肌対向面ＳＢ側に塗布されていても、温感剤が、生理用ナプキン１の着用時に表面シート２の肌対向面ＳＦ側に浸透して着用者の下腹部の肌に接触することができるため、かかる温感剤の温感成分が皮膚の温熱知覚受容器を刺激して、着用者の下腹部に温感を付与することができる。
このようにして着用者の下腹部、すなわち着用者の子宮に近い部分が温められることによって、着用者の生理痛を緩和したり、月経前症候群や冷え性、更年期障害等の症状を軽減したりすることが期待される。
なお、本発明において、追加の機能剤を配置する厚さ方向ＤＴの位置は、吸収性物品の着用時に温感剤が着用者の肌に接触し得る位置であれば特に制限されない。
【００６６】
上記温感剤に含まれる温感成分としては、使用者へ安心感を与える観点から、植物由来の化合物であることが好ましく、例えば、カプサイシン類、バニリルアルコールアルキルエーテル誘導体（例えば、バニリルエチルエーテル、バニリルブチルエーテル、バニリルペンチルエーテル、バニリルヘキシルエーテル等）、ショウガエキス、ジンジャーオイル等が挙げられる。これらの化合物の中でも、皮膚への刺激性の点から、バニリルアルコールアルキルエーテル誘導体、ショウガエキス、ジンジャーオイル等を用いることが好ましい。なお、これらの化合物は、単独で用いても２種類以上を併用してもよい。
【００６７】
また、上記温感剤を、塗工等することにより基材に適用する際は、温感成分とともに当該温感成分を溶解ないし分散し得る溶媒成分を用いてもよく、そのような溶媒成分としては、例えば、親油性溶媒や親水性溶媒等が挙げられる。
上記親油性溶媒としては、例えば、天然油（例えば、トリグリセリド等の脂肪酸エステル、ヤシ油、アマニ油等）や炭化水素（例えば、パラフィン等）等の油脂が挙げられる。一方、上記親水性溶媒としては、例えば、水やアルコール等が挙げられ、さらに、アルコールとしては、例えば、低級アルコール（例えば、メタノール、エタノール、エチレングリコール、グリセリン等）、高級アルコール（例えば、カプリルアルコール、ラウリルアルコール等）等が挙げられる。
これらの溶媒の中でも、揮発性を制御しやすいという点で、油脂等の親油性溶媒又はアルコールを用いることが好ましく、さらに、吸収性物品の吸収性能を維持しやすいという点から、油脂等の親油性溶媒を用いることがより好ましい。
なお、このような溶媒は、基材に適用した後に、溶媒が固化又は半固化した状態で適用対象部位に留まっていてもよく、又は溶媒が揮発して溶質のみが残存していてもよい。
【００６８】
また、上記温感剤が溶媒を含む場合における温感剤中の温感成分の濃度は、温感効果の点から、好ましくは０．０００１質量％以上５．０質量％以下であり、より好ましくは０．０００５質量％以上３．０質量％以下であり、更に好ましくは０．１質量％以上１．０質量％以下である。
【００６９】
なお、本発明において、機能剤は、上記温感剤に限定されず、所望の作用に応じた任意の機能剤を採用することができる。そのような機能剤としては、例えば、冷感剤や発熱剤、薬剤（例えば、皮膚収斂剤、抗炎症剤、抗菌剤、ｐＨ調整剤、保湿剤等）等が挙げられる。これらの機能剤は、例えば、平面視にて、吸収層の一部の部分に１種類の機能剤（例えば、温感剤）を配置し、他の部分に別の種類の機能剤（例えば、冷感剤）を配置する形態で、併用してもよい。
【００７０】
本発明において、上記機能剤として用い得る冷感剤は、それ自体が吸熱せずに着用者の皮膚の冷感知覚受容器を刺激して、着用者に冷感を知覚させる冷感成分を含むものであり、必要に応じて、当該冷感成分を溶解ないし分散させる溶媒成分を含んでいてもよい。上記冷感成分としては、例えば、メントール（例えば、ｌ−メントール等）；メントール誘導体（例えば、乳酸メンチル、メンチルグリセリルエーテル等）；サリチル酸メチル；ミントやユーカリ等の植物由来の精油等が挙げられる。なお、冷感剤に含まれていてもよい溶媒成分は、上記温感剤に含まれていてもよい溶媒成分と同様のものを用いることができる。
【００７１】
また、上記冷感剤が溶媒を含む場合における冷感剤中の冷感成分の濃度は、冷感効果の点から、好ましくは０．０００１質量％以上５．０質量％以下であり、より好ましくは０．０００５質量％以上３．０質量％以下であり、更に好ましくは０．１質量％以上１．０質量％以下である。
【００７２】
本発明において、上記機能剤として用い得る発熱剤は、それ自体が発熱することで着用者の皮膚を温める作用を有するものであり、例えば、鉄粉等の金属粉の酸化熱、酸又はアルカリの中和熱、無機塩の水和熱等の化学エネルギーを利用するものが挙げられる。なお、発熱剤は、溶媒成分又は分散媒体に溶解又は分散させて用いてもよい。
【００７３】
本発明において、上記機能剤として用い得る薬剤は、着用者の皮膚に所定の薬理作用をもたらすものであり、例えば、皮膚収斂剤、抗炎症剤、抗菌剤、ｐＨ調整剤、保湿剤等が挙げられる。
上記皮膚収斂剤としては、例えば、酸化亜鉛や硫酸アルミニウム、タンニン酸、油溶性ポリフェノール（例えば、オオバクエキス、オトギリソウエキス、カモミラエキス、シラカバエキス、ビワ葉エキス、ボダイジュエキス、ホップエキス等）等の収斂成分を含むものが挙げられる。
上記抗炎症剤としては、例えば、天然由来の抗炎症成分（例えば、ボタンエキス、オトギリソウエキス、カモミラエキス、ヨモギエキス、シソエキス等）や合成抗炎症成分（例えば、アラントイン、グリチルリチン酸ジカリウム等）等の抗炎症成分を含むものが挙げられる。
上記抗菌剤としては、例えば、天然由来の抗菌成分（例えば、オウバクエキス、オリーブ葉エキス、カモミラエキス、クマザサエキス、サンショウエキス、シソエキス、ドクダミエキス、ホップエキス、ユーカリエキス、ヨモギエキス等）や合成抗菌成分（例えば、エチルヘキシルグリセリン等）等の抗菌成分を含むものが挙げられる。
上記ｐＨ調整剤としては、例えば、リンゴ酸、コハク酸、クエン酸、酒石酸、乳酸等の肌を弱酸性に保つための弱酸性成分を含むものが挙げられる。
上記保湿剤としては、例えば、多価アルコール類（例えば、グリセリン、プロピレングリコール、ブチレングリコール、ソルビット等）、尿素、エモリエント成分（例えば、ワセリン等）等の保湿成分を含むものが挙げられる。
【００７４】
本発明において、表面シートにおける機能剤の含有量（坪量）は、機能剤の種類等に応じた所定の含有量を採用することができる。例えば、機能剤として温感剤又は冷感剤を採用する場合には、機能剤は、有効成分としての温感成分又は冷感成分の坪量が、好ましくは０．００１ｇ／ｍ２以上１０ｇ／ｍ２以下、より好ましくは０．００３ｇ／ｍ２以上５ｇ／ｍ２以下、更に好ましくは０．０１ｇ／ｍ２以上２．５ｇ／ｍ２以下となるような坪量で、表面シートに塗布することができる。
【００７５】
本発明において、表面シートの外形形状や各種寸法、坪量等は、所望の液透過性や肌触り、柔軟性等に応じた任意の外形形状や各種寸法、坪量等を採用することができる。
【００７６】
［吸収体］
上述の生理用ナプキン１において、吸収体４は、図２に示すように、平面視にて、生理用ナプキン１の排泄口対向領域の略中央部を中心にして、長手方向ＤＬ及び幅方向ＤＷの広範囲に延在するとともに、長手方向ＤＬの両端部がそれぞれ長手方向ＤＬの外方側に向かって円弧を描くように突出した縦長の外形形状を有している。かかる吸収体４は、図４に示すように、生理用ナプキン１の厚さ方向ＤＴにおいて表面シート２と裏面シート３の間に配置されて、表面シート２を透過してきた経血等の液状排泄物を吸収して保持し得る、所定の吸水性及び液保持性を備えた吸水性部材によって形成されている。
【００７７】
このような吸水性部材は、着用者から排出される経血等の液状排泄物を吸収して保持し得るものであれば特に制限されず、当分野において公知の任意の吸水性部材を採用することができる。そのような吸水性部材の例としては、任意の吸水性材料によって構成される少なくとも一つの吸収コアを、ティッシュ等の親水性のコアラップシートで覆ったもの等が挙げられる。ここで、吸収コアを構成する吸水性材料としては、例えば、親水性繊維や高吸収性ポリマー等が挙げられ、更に具体的には、粉砕パルプ、コットン、レーヨン、アセテート等のセルロース系繊維；アクリル酸ナトリウムコポリマー等の高吸収性ポリマーからなる粒状物；及びこれらの混合物等が挙げられる。
【００７８】
なお、生理用ナプキン１は、幅広部２０を有していることにより、吸収体４の長手方向ＤＬの寸法に対して、生理用ナプキン１の長手方向ＤＬの寸法が、相対的に大きくなっている。これにより、吸収体４の長手方向の最大寸法は、吸収体４の長手方向の最大寸法に対して、相対的に小さくなり、吸収体４の長手方向ＤＬの最大寸法に対する、裏面シート３の長手方向ＤＬの最大寸法の比が、吸収体４の幅方向ＤＷの最大寸法に対する、裏面シート３の幅方向ＤＷの最大寸法の比と比較して大きくなる。つまり、生理用ナプキン１は、裏面シート３が、長手方向ＤＬにより長く延在し、生理用ナプキン１の長手方向ＤＬの寸法が大きい。ただし、本発明の吸収性物品は、吸収体の長手方向ＤＬの最大寸法に対する、裏面シートの長手方向ＤＬの最大寸法の比が、吸収体の幅方向ＤＷの最大寸法に対する、裏面シートの幅方向ＤＷの最大寸法の比と比較して大きい吸収性物品に限定されるものではなく、吸収体の長手方向ＤＬの最大寸法に対する、裏面シートの長手方向ＤＬの最大寸法の比が、吸収体の幅方向ＤＷの最大寸法に対する、裏面シートの幅方向ＤＷの最大寸法の比と比較して、同等であっても、小さくてもよい。
【００７９】
本発明において、吸収体の外形形状や各種寸法、坪量等は、所望の吸収性能や柔軟性、強度等に応じた任意の外形形状や各種寸法、坪量等を採用することができる。
【００８０】
［裏面シート］
上述の生理用ナプキン１において、裏面シート３は、図３及び図４に示すように、平面視にて、生理用ナプキン１の長手方向の前方向端部から後方向端部にわたって延在するとともに、生理用ナプキン１の幅方向ＤＷの一方側端部から他方側端部にわたって延在する縦長の外形形状を有している。かかる裏面シート３は、図４に示すように、生理用ナプキン１の厚さ方向ＤＴにおいて非肌対向面側の位置に配置されて、着用者の肌面に対する非接触面（すなわち、生理用ナプキン１の非肌対向面ＳＢ）を形成する、液不透過性のシート状部材によって形成されている。
【００８１】
このような液不透過性のシート状部材としては、少なくとも着用者から排出される液状排泄物の透過を防止し得る程度の液不透過性を有するものであれば特に制限されず、例えば、熱可塑性樹脂繊維（例えば、ポリエチレンやポリプロピレン等のポリオレフィン系樹脂繊維、ポリエチレンテレフタレート等のポリエステル系樹脂繊維、芯鞘型等の各種複合繊維等）によって形成された疎水性不織布；ポリオレフィン系樹脂等の熱可塑性樹脂によって形成された疎水性樹脂フィルム；該樹脂フィルムに不織布を貼り合わせた積層体；ＳＭＳ不織布等の積層不織布等を用いることができる。さらに、シート状部材の構造も特に制限されず、平坦な無孔のシート状構造のほか、例えば、所定の液不透過性を保持しつつ通気性を確保するための複数の開口部を備えた平坦なシート状構造や凹凸構造等の種々のシート状構造を採用することができる。
【００８２】
本発明において、裏面シートの外形形状や各種寸法、坪量等は、所望の防漏性能や通気性等に応じた任意の外形形状や各種寸法、坪量等を採用することができる。
【００８３】
［サイドシート］
上述の生理用ナプキン１において、一対のサイドシート５、５は、図２に示すように、平面視にて、生理用ナプキン１の幅方向ＤＷの両端部においてそれぞれ長手方向ＤＬに延在する、一対の帯状のシート状部材によって形成されている。かかる一対のサイドシート５、５は、生理用ナプキン１の厚さ方向ＤＴにおいて肌対向面側の位置に配置されて、上記表面シート２とともに生理用ナプキン１の肌対向面ＳＦを形成している。
【００８４】
さらに、一対のサイドシート５、５の各々は、幅方向ＤＷの外方側端部が裏面シート３の肌対向面に接合されて固定端部を形成している一方、幅方向ＤＷの中心側端部が表面シート２等のいずれの構成部材とも接合されておらず、自由端部を形成している。これにより、一対のサイドシート５、５は、生理用ナプキン１の着用時に幅方向ＤＷの中心側端部（自由端部）が起立して、着用者から排出される液状排泄物の漏洩を防止するための防漏壁部を形成することができる。
【００８５】
サイドシートに用いられる帯状のシート状部材としては、吸収性物品のサイドシートとして用い得る諸特性（例えば、液不透過性（防漏性）や肌触り、柔軟性、強度等）を有するものであれば特に制限されず、例えば、上記裏面シートと同様の液不透過性のシート状部材（すなわち、疎水性不織布や疎水性樹脂フィルム等のシート状部材）を帯状に裁断したもの等を用いることができる。
【００８６】
本発明において、サイドシートの外形形状や各種寸法、坪量等は、所望の防漏性や肌触り、柔軟性等に応じた任意の外形形状や各種寸法、坪量等を採用することができる。
【００８７】
なお、本発明において、上記一対のサイドシートを備えることは必須の構成要件でないため、吸収性物品の形態等によっては、必ずしもこのようなサイドシートを有していなくてもよい。
【００８８】
［粘着部］
上述の生理用ナプキン１は、図３に示すように、裏面シート３の非肌対向面ＳＢにおいて複数の粘着部、すなわち着衣固定用粘着部７、一対のフラップ部固定用粘着部７１、７１、一対の前方側第１粘着部７２、７２及び前方側第２粘着部７３を備えており、これらの粘着部は、それぞれ上述の所定の形態で配置された粘着剤によって形成されている。
【００８９】
このような粘着部に用いられる粘着剤としては、当分野において公知の任意の粘着剤を採用することができ、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のスチレン系コポリマーを主体とした感圧型粘着剤などが挙げられる。
【００９０】
本発明において、各種粘着部の配置形態や外形形状、各種寸法等は、着衣への固定のしやすさなどを考慮した任意の配置形態や外形形状、各種寸法等を採用することができる。
【００９１】
なお、本発明において、上記粘着部を備えることは必須の構成要件でないため、吸収性物品の形態等によっては、必ずしもこのような粘着部を備えていなくてもよい。
【００９２】
本発明において、上記の各粘着部の配置形態や外形形状、各種寸法等は、着衣への固定のしやすさ等を考慮した任意の配置形態や外形形状、各種寸法等を採用してもよい。
【００９３】
［気密性包装部材］
上述の実施形態では、個包装体１０は、図２及び図３に示すように、生理用ナプキン１の非肌対向面ＳＢに配置された上記複数の粘着部を介して生理用ナプキン１に固着された、気密性包装部材を有している。斯かる気密性包装部材は、生理用ナプキン１とともに折り畳まれて、折り畳まれた生理用ナプキン１を個別に包装するものであり、以下に説明するような、気密性フィルム１１と剥離シート（図示せず）によって形成されている。
つまり、気密性包装部材は、上記複数の粘着部が、気密性包装部材に固着されるそれぞれの部位に、剥離シートを備えており、剥離シートを介して、気密性フィルム１１と、上記複数の粘着部とが、固定されるように構成されている。
なお、図３においては、気密性包装部材を図示していない。
【００９４】
気密性包装部材に用いられる気密性フィルム１１は、気密性を有するバリア層を有するものであり、さらに、耐久性や引張強度を高める観点から、ポリエチレンやポリプロピレン等のポリオレフィン系樹脂を含む、高強度の樹脂層を有していることが好ましい。気密性フィルム１１は、例えば、バリア層単層からなる構造であってもよいし、バリア層及び高強度の樹脂層を含む、複数層の積層構造であってもよい。なお、バリア層としては、例えば、エチレンビニルアルコール共重合体（ＥＶＯＨ）樹脂等によって形成された樹脂層を挙げることができる。
【００９５】
本発明において、気密性フィルム１１及び剥離シートの外形形状や各種寸法、坪量等は、包装のしやすさや気密性などを考慮した任意の外形形状や各種寸法、坪量等を採用すればよい。
【００９６】
なお、本発明の別の態様において、個包装体の気密性包装部材は、剥離シートを有さずに気密性フィルムのみからなり、生理用ナプキンの非肌面と対向する表面に離型処理が施されていてもよい。これにより、個包装体が、生理用ナプキンの粘着部を保護するための剥離シートを別途備える必要がないため、個包装体の構成部材の数を低減することができる。
【００９７】
［リードテープ］
上述の実施形態では、個包装体１０は、図１（ａ）及び図２に示すように、気密性包装部材の外表面において当該気密性包装部材の端部とその他の部分とに跨って配置されたリードテープ１２を備えている。斯かるリードテープ１２は、生理用ナプキン１とともに折り畳まれた気密性包装部材の開放端を封止して、折り畳まれた生理用ナプキン１の個包装状態を維持するものであり、帯状のテープ部材によって形成されている。
【００９８】
リードテープとして用いられるテープ部材は、当分野において公知の任意のテープ部材を採用することができ、例えば、帯状のテープ基材（例えば、フィルム、不織布、紙等）と、該テープ基材の表面に配置された粘着剤（例えば、ゴム系粘着剤、アクリル系粘着剤等）とによって構成されたものなどが挙げられる。さらに、上記テープ基材として用い得るフィルムや不織布の構成材料は、特に限定されず、例えば、ポリエチレン、ポリプロピレン等のポリオレフィン系樹脂；ポリエチレンテレフタレート等のポリエステル系樹脂；ポリアミド系樹脂；ポリウレタン系樹脂などが挙げられる。斯かるテープ基材は、伸縮性を有するものであってもよい。
【００９９】
本発明において、リードテープの配置形態や外形形状、各種寸法等は、リードテープとして求められる強度や開封のしやすさなどを考慮した任意の配置形態や外形形状、各種寸法等を採用することができる。
【０１００】
なお、本発明において、このようなリードテープを備えることは必須の構成要件でないため、リードテープ以外の手段（例えば、熱融着手段等）で個包装状態を維持し得るのであれば、個包装体はこのようなリードテープを備えていなくてもよい。
【０１０１】
［個包装体の形成方法］
以下、本発明の個包装体を形成するための、吸収性物品の折り畳み方法（すなわち、個包装体の形成方法）について、図面を参照しながら詳細に説明する。
【０１０２】
上述の実施形態の個包装体１０は、図５（ａ）に示すような展開した状態の生理用ナプキン１を、図５（ｂ）に示すように、長手方向ＤＬに延びる長手方向第１折り線ＬＷ１及び長手方向第２折り線ＬＷ２の各々において、肌対向面ＳＦが内側となるように幅方向ＤＷに三つ折りに折り畳んだ後、図５（ｃ）及び（ｄ）に示すように、幅方向ＤＷに延びる幅方向第１折り線ＬＬ１及び幅方向第２折り線ＬＬ２の各々において、肌対向面ＳＦが内側となるように長手方向ＤＬに三つ折りに折り畳むことによって形成することができる。
【０１０３】
なお、生理用ナプキン１を折り畳むにあたっては、生理用ナプキン１を、非肌対向面ＳＢに貼付された気密性包装部材とともに折り畳み、さらに、折り畳んだ後は、気密性包装部材の外表面において当該気密性包装部材の端部に配置されたリードテープ１２によって、折り畳まれた気密性包装部材の開放端を封止して、包装状態を維持する。このような個包装体１０は、個包装体１０を片手の掌で保持する際に、生理用ナプキン１の個包装体１０が幅方向ＤＷに向けて圧迫されやすく、個包装体１０の内部の空気が、気体連通部１３を介して周囲に放出されるので、個包装体１０の開封直前に、生理用ナプキン１に含まれる香料の存在を、使用者が知覚しやすい。
【０１０４】
なお、上述のとおり、生理用ナプキン１は、展開状態において、前方向ＤＦ側の端部に、幅広部２０を有し、香料含有領域２０が、少なくとも幅広部２０に配置されている。この幅広部２０の幅方向ＤＷにおける端部は、長手方向ＤＬに延びる中央軸線ＣＬから、幅方向ＤＷの端部に向けて、長手方向第１折り線ＬＷ１及び長手方向第２折り線ＬＷ２を越えて延在しているので、個包装体１０を個包装状態とするとき、長手方向第１折り線ＬＷ１及び長手方向第２折り線ＬＷ２で折り畳む際に、香料含有領域２０が配置された、幅広部２０の肌対向面ＳＦ側同士が対向することとなり、気密性包装部材に香料が付着し難い。
【０１０５】
なお、本発明において、個包装体を形成するための吸収性物品の折り畳み方法は、上述の実施形態の態様に限定されず、個包装体のコンパクト性や開封のしやすさなどを考慮した任意の折り畳み方法を採用することができる。
【０１０６】
［包装体］
なお、本発明の吸収性物品の個包装体は、これを複数収容する包装体に包装されていてもよく、この場合、包装体は通気部を有していてもよい。通気部としては、例えば、開口部や、包装体の開封口を形成するミシン目の破断部等が挙げられる。このような態様によれば、包装体が店頭に陳列された状態においても、使用者となりうる消費者が、吸収性物品に含まれる、香料などの揮発性成分の存在を知覚しやすくなる。
【０１０７】
本発明の個包装体における吸収性物品は、上述の各実施形態の生理用ナプキンに限定されず、パンティーライナー、失禁パッド、母乳パッド、使い捨ておむつなどの様々な吸収性物品に適用することができる。
また、本発明の個包装体は、上述した各実施形態等に制限されることなく、本発明の目的、趣旨を逸脱しない範囲内において、適宜組み合わせや代替、変更等が可能である。なお、本明細書において、「第１」、「第２」等の序数は、当該序数が付された事項を区別するためのものであり、各事項の順序や優先度、重要度等を意味するものではない。
【符号の説明】
【０１０８】
１    生理用ナプキン（吸収性物品）
２    表面シート
３    裏面シート
４    吸収体
５    サイドシート
６    フラップ部
７    着衣固定用粘着部
７１  フラップ部固定用粘着部
７２  前方向第１粘着部
７３  前方向第２粘着部
１０  個包装体
１１  気密性フィルム
１２  リードテープ
１３  気体連通部
２０  香料含有領域
２１  吸収層
３０  吸収領域
４０  重複部
【図１】
2020141872.tif 000003
【図２】
2020141872.tif 000004
【図３】
2020141872.tif 000005
【図４】
2020141872.tif 000006
【図５】
2020141872.tif 000007